(57)【要約】【課題】  暗い部屋において、いくつかの複数の操作スイッチを選択する際に非選択の操作スイッチを識別しやすくする。          【解決手段】  X線を被検体に照射するX線源と、前記X線源と対向配置され、前記被検体の透過X線を検出するX線検出器と、前記X線検出器により検出された透過X線をX線画像として表示する画像表示部と、を備えたX線診断装置において、前記X線診断装置を操作するための複数の操作ボタンのうち非選択のものを、点灯させる手段を備える。【選択図】          図1
2011062398.tif 000002
【特許請求の範囲】
【請求項１】
Ｘ線を被検体に照射するＸ線源と、前記Ｘ線源と対向配置され、前記被検体の透過Ｘ線を検出するＸ線検出器と、前記Ｘ線検出器により検出された透過Ｘ線をＸ線画像として表示する画像表示部と、を備えたＸ線診断装置において、前記Ｘ線診断装置を操作するための複数の操作ボタンのうち非選択のものを、点灯させる非選択ボタン点灯手段を備えたことを特徴とするＸ線診断装置。
【請求項２】
前記非選択ボタン点灯手段は、前記複数の操作ボタンのうち非選択のものを、薄く点灯させることを特徴とする請求項１に記載のＸ線診断装置。
【請求項３】
前記非選択ボタン点灯手段は、前記Ｘ線源よりＸ線が照射され、かつ、Ｘ線診断装置の配置された室内が暗い場合、前記複数の操作ボタンのうち非選択のものを、点灯させることを特徴とする請求項１に記載のＸ線診断装置。
【請求項４】
前記非選択ボタン点灯手段は、周囲の光度に応じて、前記複数の操作ボタンのうち非選択のものを、点灯させることを特徴とする請求項１に記載のＸ線診断装置。
【発明の詳細な説明】
【技術分野】
【０００１】
本発明は、X線診断装置に関し、特に、操作スイッチの識別性を向上できるX線診断装置に関する。
【背景技術】
【０００２】
近年、多目的な検査に使用できるX線診断装置が増えてきている。このX線診断装置は、被検体にX線を照射し、透過X線をX線検出器で検出することで被検体のX線信号を得る。そして、X線診断装置は、画像処理部でX線信号を処理することにより、表示部にX線画像又は透視画像を表示する。
【０００３】
一方、表示部の視認性を向上させるため、術中もしくは透視X線による撮像のオン状態で、操作室、X線室の照明を暗くすることが行なわれている。多目的検査に使用できるX線診断装置は、多目的であるゆえに複数の術者が機器を扱うことが多くなっている。その装置の使用頻度の高い術者は複数の操作スイッチの位置を覚えているが、使用頻度の低い術者は図や文字でその機能を認識する複数の操作スイッチの位置を、記憶しづらい。
【０００４】
操作スイッチを識別する技術に関しては特許文献1の方法がある。特許文献1記載の従来技術では、一連の各制御操作を各釦スイッチで行う操作制御卓を備える医療診断装置において、少なくとも、現在実行している内容に対応する釦スイッチは、特定の色によって発光させ、前記釦スイッチを押したことによって次に実行可能な内容に対応する釦スイッチは、前記特定の色と異なる色によって発光させる釦スイッチ発光色制御手段を備えてなることを特徴とする医療診断装置が開示されている。
【先行技術文献】
【特許文献】
【０００５】
【特許文献１】特開平4-90747号公報
【発明の概要】
【発明が解決しようとする課題】
【０００６】
しかしながら、特許文献1記載の技術は、暗い部屋において、いくつかの複数の操作スイッチを選択する際に、操作スイッチの識別が困難な場合、選択しづらく誤ったボタンを押してしまうという問題がある。
【０００７】
本発明の目的は、暗い部屋において、いくつかの複数の操作スイッチを選択する際に非選択の操作スイッチを識別しやすくすることである。
【課題を解決するための手段】
【０００８】
上記の課題を解決するために、本発明は、X線を被検体に照射するX線源と、前記X線源と対向配置され、前記被検体の透過X線を検出するX線検出器と、前記X線検出器により検出された透過X線をX線画像として表示する画像表示部と、を備えたX線診断装置において、前記X線診断装置を操作するための複数の操作ボタンのうち非選択のものを、点灯させる非選択ボタン点灯手段を備えたことを特徴とするX線診断装置が提供される。
【発明の効果】
【０００９】
本発明によれば、暗い部屋において、いくつかの複数の操作スイッチを選択する際に非選択の操作スイッチを識別しやすくすることが可能なX線診断装置が提供される。
【図面の簡単な説明】
【００１０】
【図１】X線診断装置の全体構成を示す図
【図２】X線診断装置の外観を示す図
【図３】本発明の実施例1を説明する図
【図４】本発明の実施例2を説明する図
【図５】本発明の実施例3を説明する図
【発明を実施するための形態】
【００１１】
以下、本発明について図面を用いて説明する。図1は本実施例の全体構成を示す図である。
【００１２】
X線診断装置は、被検体100を載せる天板106と、被検体100にX線を照射するX線源102と、被検体100に対するX線照射領域を設定する絞り装置104と、X線源102に電力供給を行なう高電圧発生部108と、X線源102に対向する位置に配置され、被検体100を透過したX線を検出するX線検出器110と、X線検出器110から出力されたX線信号に対して画像処理を行なう画像処理部112と、画像処理部112から出力されたX線画像(透視画像を含む)を記憶する画像記憶部114と、X線画像(透視画像を含む)を表示する表示部116と、上記各構成要素を制御する制御部118と、制御部118に対して指令を行なう操作部120とを備えている。
【００１３】
X線源102は、高電圧発生器108から電力供給を受けてX線を発生させるX線管球を有する。また、X線源102には、特定のエネルギーのX線を選択的に透過させるX線フィルタなどを有していてもよい。
【００１４】
絞り装置104は、X線源102から発生したX線を遮蔽するX線遮蔽用鉛板を複数有し、複数のX線遮蔽用鉛板をそれぞれ移動することにより、被検体100に対するX線照射領域を決定する。
【００１５】
X線検出器110は、例えば、X線を検出する複数の検出素子が二次元アレイ状に配置されて構成されており、X線源102から照射され、被検体100を透過したX線の入射量に応じたX線信号を検出する機器である。
【００１６】
画像処理部112は、X線検出部110から出力されたX線信号を画像処理し、画像処理されたX線画像を出力する。画像処理は、ガンマ変換、階調変換処理、画像の拡大・縮小等である。画像記憶部114は、画像処理部112から出力されたX線画像を記憶する。表示部116は、画像処理部112から出力されたX線画像、又は画像記憶部114に記憶されたX線画像を表示する。
【００１７】
操作部120には発光LED付き操作スイッチを複数個備えており点灯にて機能選択、消灯にて機能非選択の状態を示している。点灯、消灯は高電圧発生部108および画像処理部112からの情報を元に制御部118で行う。
【００１８】
図2に操作部の配置例を示す。操作部120はX線室外の遠隔にて操作する遠隔操作部122とX線室内の近接にて操作する近接操作部124と被検体100の近傍にて操作する近傍操作部126等の例で構成される。
【実施例１】
【００１９】
次に実施例1について図3を用いて説明する。  
図3において、制御部118内には、操作部制御部150が備えられている。また、操作部制御部150内には、PWM信号発生部152が備えられていて、後述する発光LEDへのDUTYを100％とする場合と、a％とする場合と、0％とする場合のPWM信号を発生できるようになっている。操作部制御部150は、PWM信号発生部152を制御し、後述する操作スイッチが機能選択状態(ON状態)あるいは機能非選択状態(OFF状態)時の発光LEDへのDUTYを定める。
また、図3において、操作部120内には、発光LED付きの操作スイッチ154a〜154eが複数個設けられている。その内の一つである操作スイッチ154aは、発光LEDの薄点灯制御の有効、無効の切り替えを行なうための機能選択スイッチ(156)である。
【００２０】
機能選択スイッチ154aが機能非選択状態(OFF状態)の場合、発光LEDの薄点灯制御は無効となる。すなわち、操作スイッチ(発光LED付き)154a〜154eが機能選択状態(ON状態)の場合は、PWM信号発生部152にてLEDの点灯DUTY＝100%を選択され、操作スイッチ(発光LED付き)154a〜154eは点灯となる。操作スイッチ(発光LED付き)が機能非選択状態(OFF状態)の場合は、PWM信号発生部152にてLEDの点灯DUTY＝0%を選択され、操作スイッチ(発光LED付き)154a〜154eは消灯となる。
【００２１】
機能選択スイッチ154aが機能選択状態(ON状態)の場合、発光LEDの薄点灯制御は有効となる。すなわち、操作スイッチ(発光LED付き)154a〜154eが機能選択状態(ON状態)の場合は、PWM信号発生部152にてLEDの点灯DUTY＝100%が選択され、操作スイッチ(発光LED付き)154a〜154eは点灯となる。操作スイッチ(発光LED付き)154a〜154eが機能非選択状態(OFF状態)の場合は、PWM信号発生部152にてLEDの点灯DUTY＝(0<a<100)%が選択され、操作スイッチ(発光LED付き)154a〜154eは薄く点灯される。
【００２２】
本実施例によれば、X線を被検体に照射するX線源(102)と、前記X線源と対向配置され、前記被検体の透過X線を検出するX線検出器(110)と、前記X線検出器により検出された透過X線をX線画像として表示する画像表示部(116)と、を備えたX線診断装置において、前記X線診断装置を操作するための複数の操作ボタンのうち非選択のものを、点灯させる非選択ボタン点灯手段(154a)を備えている。より具体的には、前記非選択ボタン点灯手段は、前記複数の操作ボタンのうち非選択のものを、薄く点灯させることを特徴としている。
【００２３】
本実施例によれば、機能選択スイッチがON状態の場合、操作スイッチがOFF状態の場合にも操作スイッチが少なくとも薄くは点灯され、暗い部屋において、いくつかの複数の操作スイッチを選択する際に非選択の操作スイッチを識別しやすくすることが可能となる。
【実施例２】
【００２４】
次に実施例2について図4を用いて説明する。  
図4において、制御部118内には、操作部制御部150が備えられている。また、操作部制御部150内には、PWM信号発生部152が備えられていて、後述する発光LEDへのDUTYを100％とする場合と、a％とする場合と、0％とする場合のPWM信号を発生できるようになっている。操作部制御部150は、PWM信号発生部152を制御し、後述する操作スイッチ154a〜154eが機能選択状態(ON状態)あるいは機能非選択状態(OFF状態)時の発光LEDへのDUTYを定める。一方、制御部118内には、信号入力部158が設けられ、制御部118外に配置された高電圧発生部108及び照明スイッチ160に接続されている。高電圧発生部108からは、X線照射信号が信号入力部158へ送信され、照明スイッチ160からは照明点灯消灯信号が信号入力部158へ送信される。
【００２５】
また、図4において、操作部120内には、発光LED付きの操作スイッチ154a〜154eが複数個設けられている。
【００２６】
次に、本実施例における操作部制御部150の動作を次に説明する。  
実施例1と異なる点は、高電圧発生部108から入力されるX線照射信号および照明スイッチ160から入力される照明点灯消灯信号で非選択状態のDUTYを切り替える点である。
【００２７】
X線照射信号の入力がない(OFF状態の)場合、発光LEDの薄点灯制御は無効となる。すなわち、操作スイッチ(発光LED付き)154a〜154eが機能選択状態(ON状態)の場合は、PWM信号発生部152にてLEDの点灯DUTY＝100%を選択され、操作スイッチ(発光LED付き)154a〜154eは点灯となる。操作スイッチ(発光LED付き)154a〜154eが機能非選択状態(OFF状態)の場合は、PWM信号発生部152にてLEDの点灯DUTY＝0%を選択され、操作スイッチ(発光LED付き)154a〜154eは消灯となる。
【００２８】
X線照射信号の入力があり(X線が照射され、ON状態であり)かつ、照明点灯消灯信号が”消灯”の場合(すなわち、X線診断装置の配置された室内が暗い場合)、発光LEDの薄点灯制御は有効となる。すなわち、操作スイッチ(発光LED付き)154a〜154eが機能選択状態(ON状態)の場合は、PWM信号発生部152にてLEDの点灯DUTY＝100%が選択され、操作スイッチ(発光LED付き)154a〜154eは点灯となる。操作スイッチ(発光LED付き)154a〜154eが機能非選択状態(OFF状態)の場合は、PWM信号発生部152にてLEDの点灯DUTY＝(0<a<100)%が選択され、操作スイッチ(発光LED付き)154a〜154eは薄く点灯される。
【００２９】
本実施例によれば、前記非選択ボタン点灯手段(158等)は、前記X線源よりX線が照射され、かつ、X線診断装置の配置された室内が暗い場合、前記複数の操作ボタンのうち非選択のものを、薄く点灯させる。
【００３０】
本実施例によれば、X線照射信号の入力があり(ON状態であり)かつ、照明点灯消灯信号が”消灯”の場合、操作スイッチがOFF状態の場合にも、操作スイッチが薄く点灯され、発光LEDの薄点灯制御は有効となる。すなわち、X線照射が透視状態等で、暗い部屋において、いくつかの複数の操作スイッチを選択する際に非選択の操作スイッチを識別しやすくすることが可能となる。
【実施例３】
【００３１】
次に実施例3について図5を用いて説明する。実施例1、2と異なる点は、周囲の光度を検出して非選択状態のDUTYを切り替える点である。
【００３２】
図5において、制御部118内には、操作部制御部150が備えられている。また、操作部制御部150内には、PWM信号発生部152が備えられていて、後述する発光LEDへのDUTYを100％とする場合と、a％とする場合と、0％とする場合のPWM信号を発生できるようになっている。操作制御部150は、PWM信号発生部152を制御し、後述する操作スイッチが機能選択状態(ON状態)あるいは機能非選択状態(OFF状態)時の発光LEDへのDUTYを定める。一方、制御部118内には、光度判定回路164が設けられ、制御部118外に配置された周囲光度検出部162に接続されている。周囲光度検出部162からは、周囲光度が光度判定回路164へ送信される。
【００３３】
また、図5において、操作部120内には、発光LED付きの操作スイッチ154a〜154eが複数個設けられている。
【００３４】
次に、本実施例における操作部制御部150の動作を次に説明する。実施例1と異なる点は、周囲光度検出部160から入力される周囲光度で非選択状態のDUTYを切り替える点である。
【００３５】
周囲光度が所定より明るい場合、発光LEDの薄点灯制御は無効となる。すなわち、操作スイッチ(発光LED付き)154a〜154eが機能選択状態(ON状態)の場合は、PWM信号発生部152にてLEDの点灯DUTY＝100%を選択され、操作スイッチ(発光LED付き)154a〜154eは点灯となる。操作スイッチが機能非選択状態(OFF状態)の場合は、PWM信号発生部152にてLEDの点灯DUTY＝0%を選択され、操作スイッチ(発光LED付き)154a〜154eは消灯となる。
【００３６】
周囲光度が所定より暗い場合、発光LEDの薄点灯制御は有効となる。すなわち、操作スイッチ(発光LED付き)154a〜154eが機能選択状態(ON状態)の場合は、PWM信号発生部152にてLEDの点灯DUTY＝100%が選択され、操作スイッチ(発光LED付き)154a〜154eは点灯となる。操作スイッチ(発光LED付き)154a〜154eが機能非選択状態(OFF状態)の場合は、PWM信号発生部152にてLEDの点灯DUTY＝(0<a<100)%が選択され、操作スイッチ(発光LED付き)154a〜154eは薄く点灯される。
【００３７】
DUTY = a は周囲光度検出信号に応じて可変させる。  
本実施例によれば、前記非選択ボタン点灯手段(164等)は、周囲の光度に応じて、前記複数の操作ボタンのうち非選択のものを、点灯させる。
【００３８】
本実施例によれば、X線診断装置の周囲光度に応じて、操作スイッチがOFF状態の場合にも、操作スイッチが薄く点灯され、本発明は有効となる。すなわち、X線照射が透視状態等で、暗い部屋において、いくつかの複数の操作スイッチを選択する際に非選択の操作スイッチを識別しやすくすることが可能となる。
【００３９】
実施例1〜3では、操作スイッチのうち、機能非選択状態のものすべてを薄く点灯させる場合でも良いが、状況によって、押すことが不可なボタンもあり、そのような場合には消灯するようにして良いことはいうまでもない。
【産業上の利用可能性】
【００４０】
本発明は、X線診断装置及び、その他の医用画像診断装置に利用することができる。
【符号の説明】
【００４１】
118  制御部、150  操作部制御部、152  PWM信号発生部、154a〜e  操作スイッチ、15  機能選択スイッチ
【図１】
2011062398.tif 000003
【図２】
2011062398.tif 000004
【図３】
2011062398.tif 000005
【図４】
2011062398.tif 000006
【図５】
2011062398.tif 000007